(57)【特許請求の範囲】
【請求項１】
第１基板と、
第１方向に延在し且つ前記第１方向と直交する第２方向に配列する様に前記第１基板上に形成されており、各電極対は対向し合う第１及び第２電極より成る複数の電極対と、
前記第１及び第２電極の内の少なくとも一方を被覆する様に前記第１基板上に形成された誘電体と、
基板間に空間を形成する様にその周辺部が前記第１基板と接合された第２基板と、
前記第２方向に延在して前記複数の電極対と立体交差する様に前記第２基板上に形成された複数の第３電極と、
少なくとも前記第２方向に延在して各第３電極を挟み込む様に前記第２基板上に形成されている複数の隔壁と、
その各々が前記各第３電極を被覆する様に、少なくとも前記第２基板上に形成された複数の蛍光体とを備えており、
前記第１電極は、
前記第１方向に延在する金属電極より成る第１部分と、
その第１端は前記第１部分に接合されており、前記第１端に対向する第２端は前記第２電極に向かって張り出している第２部分とを有しており、
前記第２電極は、
前記第１方向に延在する金属電極より成る第３部分と、
その第１端は前記第３部分に接合されており、前記第１端に対向する第２端は前記第１電極に向かって張り出して前記第２部分の前記第２端と対向して放電ギャップを形成している第４部分とを有しており、
各放電セルは、前記複数の隔壁の内で隣り合う隔壁同士と前記各電極対を成す前記第１及び第３部分とで規定されており、
任意の放電セル内の、前記第２部分の有効電極面積と前記第４部分の有効電極面積とは互いに異なっており、
前記各放電セル内における前記第２及び第４部分の有効形状は、隣接放電セル毎に、前記第２及び第４部分の有効形状を前記第１方向の周りに反転させることによって得られる形状に相当しており、
前記各放電セル内の前記放電ギャップは当該放電セルの中心位置にあることを特徴とする、
交流型プラズマディスプレイパネル。
【請求項２】
請求項１記載の交流型プラズマディスプレイパネルであって、
各隔壁の内で前記各放電セルを規定する部分は、前記第２方向に対して傾斜した部分を有しており、
隣り合う隔壁の各々の当該放電セルを規定する部分同士は前記第２方向に関して線対称の関係にあることを特徴とする、
交流型プラズマディスプレイパネル。
【請求項３】
請求項１又は２に記載の交流型プラズマディスプレイパネルであって、
ある表示ラインに属する前記第１方向に沿って一列に並んだ全ての放電セルと当該表示ラインに隣接する表示ラインに属する全ての放電セルに関して、その一方の表示ラインに属する前記第２電極とその他方の表示ラインに属する前記第１電極とは一体化されて両表示ラインの共通電極を成しており、
前記共通電極と当該共通電極と対向する前記第１及び第２電極とから成る一組の電極群が所定の間隔で前記第２方向に配列しており、
前記誘電体は、前記共通電極又は当該共通電極と対向する前記第１及び第２電極の内の少なくとも一方を被覆していることを特徴とする、
交流型プラズマディスプレイパネル。
【請求項４】
請求項１乃至３の何れかに記載の前記交流型プラズマディスプレイパネルと、
前記交流型プラズマディスプレイパネルを駆動するための駆動制御部とを備えることを特徴とする、
交流型プラズマディスプレイ装置。
【発明の詳細な説明】
【０００１】
【発明の属する技術分野】
本発明は、トリオ配列型ピクセル構造を有するプラズマディスプレイパネル（以下、ＰＤＰと称す）を表示部として備える交流型プラズマディスプレイ装置（以下、ＡＣ型ＰＤＰ装置と称す）における、高解像度化の技術に関している。
【０００２】
【従来の技術】
マトリクス状に配置されたピクセル（乃至は画素）を有するマトリクス型ディスプレイでは、多くの場合、トリオ配列型ピクセルが用いられている。ここで、図１９は、トリオ配列型ピクセルの構造を模式的に示す平面図である。図１９に示す様に、トリオ配列型では、ピクセルＰの横断面形状（両方向h、vを含む平面で切断したときの断面形状）は略正方形を成しており、各ピクセルＰは３つの帯状のサブピクセル（ないしはセル）Ｃより成る。具体的には、ピクセルＰは、赤色（Ｒ）用、青色（Ｂ）用及び緑色（Ｇ）用の３つのサブピクセルＣから成る。上記３つのサブピクセルＣはディスプレイの列方向ｖに沿って延在し、且つ列方向ｖに垂直な行方向ｈに並んでいる。
【０００３】
一般に、トリオ配列型ピクセルは、ピクセル数の割に解像度が低いと言う問題点を有するが、その反面、行方向ｈ及び列方向ｖにおける直線性に優れているので、図形描画に適している。加えて、トリオ配列型ピクセルでは、ビデオ画像を自然な質感で表示することができる。尚、ビデオ画像とは、被写体をビデオカメラ等の撮像装置で光学的に取り込んで得られる画像（自然画）をいう。
【０００４】
図２０は、トリオ配列型ピクセルを有するＡＣ（交流）駆動の３電極面放電型ＰＤＰ５００の内部構造を模式的に示す平面図である。ＰＤＰ５００は、基本的には、対面配置された前面ガラス基板および背面ガラス基板を含むガラス容器からなり、当該容器内の放電空間内には放電ガスが充填されている。
【０００５】
前面ガラス基板上には、複数の帯状の金属電極乃至はバス電極５０１が行方向ｈに沿って形成されている。複数のバス電極５０１は２本ずつ対を成しており、各電極対間に帯状のブラックストライプ５０４が形成されている。ブラックストライプ５０４は、外光反射率を下げてコントラストを向上させるためのものである。各バス電極５０１に接合して、ブラックストライプ５０４とは反対側方向へ、透明電極５０２が張り出している。対を成す２本のバス電極５０１のそれぞれに接合する透明電極５０２同士は、放電ギャップ５０３を介して、互いに対面している。以下、バス電極５０１及び同電極５０１に接続された透明電極５０２から成る構成を「行電極」とも呼ぶ。この定義に基づけば、図２０では、対を成す行電極Ｘ１、Ｙ１及び対を成す行電極Ｘ２、Ｙ２が図示されている。
【０００６】
他方、背面ガラス基板上には、複数の帯状の列電極乃至はアドレス電極が列方向ｖに沿って、従ってバス電極５０１と（立体）交差して形成されている。尚、図２０では、６本の列電極Ｗ１乃至Ｗ６が図示されている。更に、背面ガラス基板上には、隣接の列電極間に帯状の隔壁ないしはバリアリブ（以下、単に「リブ」とも呼ぶ）５０５が形成されている。各リブ５０５は、行方向ｈにおいて隣接する透明電極５０２同士を区切る様に、且つ、ガラス容器内を仕切る様に形成されている。更に、各列電極Ｗ１〜Ｗ６を覆って赤色（Ｒ）用、青色（Ｂ）用及び緑色（Ｇ）用の蛍光体５０６Ｒ、５０６Ｂ、５０６Ｇが形成されている。
【０００７】
ＰＤＰ５００のサブピクセルＣは、隣り合う両バリアリブ５０５及び隣り合う両ブラックストライプ５０４で以って区画された領域から成り、行方向ｈに隣接する赤色（Ｒ）、青色（Ｂ）及び緑色（Ｇ）の光を発する３つのサブピクセルＣで以って、ピクセルＰ（図１９参照）が構成される。後述のデルタ配列型ピクセルに比べてトリオ配列型ピクセルが直線性に優れているのは、バリアリブ５０５やブラックストライプ５０４が直線的に形成されているからと言うことも出来る。
【０００８】
ＰＤＰ５００は行方向ｈに延在するリブを有さないので、製造を容易にし得る一方、行間での、即ち、列方向ｖに並ぶサブピクセルＣ間での放電の干渉が生じると言う問題点を有する。この様な放電干渉を防止するためには、隣接する電極対間の距離を確保する必要がある。そうすると、この距離の確保に伴い、斜線を表示した際には像がぎざぎざとした感じに見えるという表示不具合を、ＰＤＰ５００は呈することになる。この表示不具合は、行方向ｈに対する傾きが小さい斜線の場合に、又、ＰＤＰがブラックストライプ５０４を有する場合に顕著になる。
【０００９】
一般に、ＡＣ型ＰＤＰ５００は、リセット動作、アドレス動作、表示動作（ないしは維持動作）及び消去動作を含む一連の動作によって駆動される。
【００１０】
先ず、リセット期間では、ＰＤＰ５００内における全ての放電セルの電荷状態を初期化する（リセット動作）。
【００１１】
次に、アドレス期間では、各サブピクセルＣ内に画像データを電荷（ないしは壁電荷）の有無として与える。具体的には、行電極Ｙ１、Ｙ２に順次に走査パルスないしはスキャンパルスを印加し（各電極対間に順次に電位差を与え）、スキャンパルスの順次印加に同期して列電極Ｗ１〜Ｗ６へのアドレスパルスないしは書き込みパルスの印加／不印加を画像データ中の各サブピクセルＣに対応する各データに応じて制御する。
【００１２】
その後、表示期間において、上記壁電荷を利用して放電（表示放電または維持放電）を繰り返し発生させ、表示を行う（表示動作）。このとき、表示期間での放電の繰り返し回数によって、各サブピクセルＣの輝度が制御される。
【００１３】
消去期間では、壁電荷を消去する（消去動作）。
【００１４】
ＰＤＰ５００は、所謂サブフィールド階調法（又は単にサブフィールド法）と呼ばれる駆動方法によって、階調表示を行うことが出来る。このサブフィールド階調法では、リセット動作、アドレス動作、表示動作及び消去動作を含む１つのサブフィールド（ＳＦ）を形成し、複数のサブフィールドを組み合わせて１つのフレーム（又はフィールド）を形成する。このとき、各サブフィールドの表示期間において、表示放電の繰り返し回数を変えている。
【００１５】
図２１及び図２２は、所謂デルタ配列型ピクセルを有するＰＤＰ５５０の構造を模式的に示す平面図である。尚、両図２１、２２に示されている構造は、「Proceedings of The 6th International Display Workshops 1999 p.599」の文献に開示されている。ＰＤＰ５５０は、図２０のＰＤＰ５００と同様に、行電極Ｘ、Ｙｎ−１、Ｙｎ、Ｙｎ＋１及び列電極Ｗ１〜Ｗ１１を備える。ＰＤＰ５５０のリブ５５５は、蛇行しつつ列方向ｖに延在している。このリブ５５５の形状に起因して、ＰＤＰ５５０では、ピクセルＰ（図２２中の破線で示す３角形を参照）を成す３つのサブピクセルＣは、３角形を成す様に配置されている。尚、ＰＤＰ５５０の複数のピクセルＰは、パネル全面においてマトリクス状に配置されている。
【００１６】
この様なデルタ配列型ピクセルは、ヘッドマウント型の小型の液晶ディスプレイ（以下、「ＬＣＤ」とも呼ぶ）や低コストの投射型ＬＣＤ等でも用いられている。
【００１７】
ＰＤＰ５５０は、図２０のＰＤＰ５００と同様に駆動される。具体的には、図２１に示す様に、行電極Ｙｎ−１、Ｙｎ、Ｙｎ＋１に順次にスキャンパルスを印加し、スキャンパルスの順次印加に同期して、列電極Ｗ１〜Ｗ１１への電圧の印加／不印加を画像データ中の各サブピクセルＣに対応する各データに応じて制御する。この場合、複数の行電極Ｘには、共通の電圧が印加される。
【００１８】
【発明が解決しようとする課題】
デルタ配列構造がサブピクセル毎にずれているという特徴を利用して擬似インタレース動作を行うことで高精細化及び高品質化を図り得ることが、最近提案されている。しかしながら、この提案に係る技術は未公表技術であるので、ここでは、図面を用いて、このデルタ配列構造における高精細化技術の大要を説明する。
【００１９】
図２３は、図２１に示すＰＤＰ５５０のサブピクセルＣの分布をチェック状に図示したものである。今、１フレーム分のプログレッシブ信号（乃至はノンインタレース信号）である画像データをサブピクセルＣに割り当てることを考える。このとき、サブピクセルＣ１１、Ｃ３１、Ｃ２４、Ｃ４４は赤色（Ｒ）の光を発光する部分、サブピクセルＣ２２、Ｃ４２、Ｃ１５、Ｃ３５は緑色（Ｇ）の光を発光する部分、サブピクセルＣ１３、Ｃ３３、Ｃ２６、Ｃ４６は青色（Ｂ）の光を発光する部分であるとする。例えば、第３番目の行Ｌ３を中心にピクセル（画素）を構成する場合においては、第２及び第３番目の行Ｌ２、Ｌ３を表示ラインとする場合と、第３及び第４番目の行Ｌ３、Ｌ４を表示ラインとする場合の、２通りを採ることが出来る。即ち、サブピクセルＣ３１、Ｃ２２、Ｃ３３を以って一つのピクセル（画素）とする第１の場合と、サブピクセルＣ３１、Ｃ４２、Ｃ３３を以って一つのピクセル（画素）とする第２の場合がある。そこで、１フレームのプログレッシブ信号を奇数行の画像データと偶数行の画像データとに分割し、それぞれの画像データを上記第１及び第２の場合に割り当てる。実際の画像データ数に比べて画素数が少ない構成ではあるが、サブピクセルＣ３１、Ｃ２２、Ｃ３３から成る画素の輝度重心とサブピクセルＣ３１、Ｃ４２、Ｃ３３から成る画素の輝度重心とが互いにずれているため、列方向ｖの解像度を向上させることが出来る。
【００２０】
以上の通り、デルタ配列型ピクセルでは、擬似インタレースを行うことが可能である。これに対して、トリオ配列型ピクセルでは、構造的に擬似インタレース動作を行うことが出来ない。例えば、デルタ配列型ピクセルにおける擬似インタレース動作では、図２３において、サブピクセルＣ３１、Ｃ２２、Ｃ３３を表示するフィールドとサブピクセルＣ３１、Ｃ４２、Ｃ３３を表示するフィールドとでは、両者の輝度重心の位置関係がおよそ線対象になるため、視感上自然な形で画像を表現することが出来る。これに対して、トリオ配列型ピクセルでは、隣接サブピクセルと組み合わせて２種類のピクセル（画素）を構成しても、輝度重心が等間隔で配列されなくなり、視認性が悪化してしまう。従って、トリオ配列型ピクセルでは、解像度を増すためにはピクセル数を増やさなければならないという問題点があった。
【００２１】
他方で、デルタ配列型ピクセルの場合には、行方向ｈ及び列方向ｖの直線性がトリオ配列型ピクセルに比べて低いという問題点がある。これは、ピクセルを規定するブラックストライプやリブを直線状に形成しにくい、発光している領域が直線状にならない、という２つの理由からである。仮にデルタ配列型ピクセルにおいて擬似インタレース動作を行ったとしても、これらの理由から、トリオ配列型ピクセルと比較すると直線性に問題は残る。
【００２２】
本発明はこの様な技術状況に鑑みて成されたものであり、その目的とするところは、デルタ配列型ピクセルの様に擬似インタレース動作可能で、且つ、直線性に優れたトリオ配列型ピクセル構造を有するＡＣ型のプラズマディスプレイ装置、並びに、それを構成するパネルや基板を提供することにある。
【００２６】
【課題を解決するための手段】
請求項１に係る発明は、交流型プラズマディスプレイパネルであって、第１基板と、第１方向に延在し且つ前記第１方向と直交する第２方向に配列する様に前記第１基板上に形成されており、各電極対は対向し合う第１及び第２電極より成る複数の電極対と、前記第１及び第２電極の内の少なくとも一方を被覆する様に前記第１基板上に形成された誘電体と、基板間に空間を形成する様にその周辺部が前記第１基板と接合された第２基板と、前記第２方向に延在して前記複数の電極対と立体交差する様に前記第２基板上に形成された複数の第３電極と、少なくとも前記第２方向に延在して各第３電極を挟み込む様に前記第２基板上に形成されている複数の隔壁と、その各々が前記各第３電極を被覆する様に、少なくとも前記第２基板上に形成された複数の蛍光体とを備えており、前記第１電極は、前記第１方向に延在する金属電極より成る第１部分と、その第１端は前記第１部分に接合されており、前記第１端に対向する第２端は前記第２電極に向かって張り出している第２部分とを有しており、前記第２電極は、前記第１方向に延在する金属電極より成る第３部分と、その第１端は前記第３部分に接合されており、前記第１端に対向する第２端は前記第１電極に向かって張り出して前記第２部分の前記第２端と対向して放電ギャップを形成している第４部分とを有しており、各放電セルは、前記複数の隔壁の内で隣り合う隔壁同士と前記各電極対を成す前記第１及び第３部分とで規定されており、任意の放電セル内の、前記第２部分の有効電極面積と前記第４部分の有効電極面積とは互いに異なっており、前記各放電セル内における前記第２及び第４部分の有効形状は、隣接放電セル毎に、前記第２及び第４部分の有効形状を前記第１方向の周りに反転させることによって得られる形状に相当しており、前記各放電セル内の前記放電ギャップは当該放電セルの中心位置にあることを特徴とする。
【００２７】
請求項２に係る発明は、請求項１記載の交流型プラズマディスプレイパネルであって、各隔壁の内で前記各放電セルを規定する部分は、前記第２方向に対して傾斜した部分を有しており、隣り合う隔壁の各々の当該放電セルを規定する部分同士は前記第２方向に関して線対称の関係にあることを特徴とする。
【００２８】
請求項３に係る発明は、請求項１又は２に記載の交流型プラズマディスプレイパネルであって、ある表示ラインに属する前記第１方向に沿って一列に並んだ全ての放電セルと当該表示ラインに隣接する表示ラインに属する全ての放電セルに関して、その一方の表示ラインに属する前記第２電極とその他方の表示ラインに属する前記第１電極とは一体化されて両表示ラインの共通電極を成しており、前記共通電極と当該共通電極と対向する前記第１及び第２電極とから成る一組の電極群が所定の間隔で前記第２方向に配列しており、前記誘電体は、前記共通電極又は当該共通電極と対向する前記第１及び第２電極の内の少なくとも一方を被覆していることを特徴とする。
【００２９】
請求項４に係る発明は、交流型プラズマディスプレイ装置であって、請求項１乃至３の何れかに記載の前記交流型プラズマディスプレイパネルと、前記交流型プラズマディスプレイパネルを駆動するための駆動制御部とを備えることを特徴とする。
【００３２】
【発明の実施の形態】
（実施の形態１）
本実施の形態は、トリオ配列型ピクセル構造を有するＡＣ３電極面放電型のＰＤＰに関している。特に、本実施の形態では、任意の放電セル内において、放電ギャップが当該放電セルの中心位置からずれる様に、後述する第２部分の有効電極面積と後述する第４部分の有効電極面積とを互いに異ならしめると共に、隣り合う放電セル毎に上記の第２部分及び第４部分の有効形状を第１方向（行方向に相当）の周りに順次に反転させることによって、各放電セル内における第２部分及び第４部分の有効形状を形成している。この電極構造の採用により、ＰＤＰを駆動させると、ある放電セル内においては、放電ギャップ及び発光中心が当該放電セルの中心位置から後述する第２電極の金属電極（バス電極に相当）側寄りへずれ、その隣の放電セル内においては、放電ギャップ及び発光中心が当該放電セルの中心位置から後述する第１電極の金属電極（バス電極に相当）側寄りへずれ、この様な隣り合う放電セル間における放電ギャップ及び発光中心のずれパターンが上記の第１方向に繰り返されることになる。従って、この様な特徴を利用することで、トリオ配列型ピクセル構造のＰＤＰにおいても、インタレース動作を実現することが可能となる。以下、図面を参照しつつ、本実施の形態を具体的に記載する。
【００３３】
図１は、本実施の形態に係るＡＣ型ＰＤＰ装置１００の構成を模式的に示すブロック図である。同図に示す通り、ＡＣ型ＰＤＰ装置１００は、▲１▼表示部としてのＡＣ面放電型ＰＤＰ１０１と、▲２▼各種の駆動信号乃至は駆動電圧をＡＣ型ＰＤＰ１０１に印加してＰＤＰ１０１を駆動するための駆動制御部１０２とに、大別される。
【００３４】
又、図２は、前面パネルの表示面（図示せず）側からＰＤＰ１０１を眺めた際の、ＰＤＰ１０１内部の一部構造を拡大して模式的に示す平面図である。以下、図２を参照しつつ、ＰＤＰ１０１の構造を説明する。
【００３５】
ＰＤＰ１０１は、基本的には、対面配置された前面ガラス基板（第１基板に相当）及び背面ガラス基板（第２基板に相当）（何れも図示せず）の周辺部を、両基板間に放電空間が形成される様にフリットガラスを用いて接合することにより形成されるガラス容器から成り、当該容器内には所定の放電ガスが充填されている。
【００３６】
前面ガラス基板上には、2×Ｎ（Ｎは自然数）本の帯状の金属電極乃至はバス電極１が形成されている。各バス電極１は、行方向ないしは第１方向ｈに延在している。そして、各バス電極１には、互いに有効電極面積（「有効電極面積」とは、放電セルＤＣ内に含まれる範囲内での電極面積に該当する。以下、同じ。）が異なる２種類の（第１）及び（第２）透明電極２１、２２の第１端が、第１方向ｈに沿って交互に繰り返される様に、結合している。即ち、両透明電極２１、２２の第２端（上記第１端に対向する端）は、それぞれバス電極１から列方向ｖに沿って張り出しており、その張り出し寸法（第１端から第２端までの距離）が互いに異なる結果、両透明電極２１、２２はそれぞれの大きさを異にしている。ここでは、（透明電極２１の有効電極面積）＞（透明電極２２の有効電極面積）の関係が設定されている。しかも、対を成す一方のバス電極（第１電極の第１部分）１１に接合した透明電極２１の第２端は、対向する他方のバス電極（第２電極の第３部分）１３に接合した透明電極２２の第２端に対向して放電ギャップ３を形成しており、同様に、一方のバス電極１１に接合した透明電極２２の第２端は、対向する他方のバス電極１３に接合した透明電極２１の第２端に対向して放電ギャップ３を形成している。
【００３７】
以下の説明においては、１本のバス電極１及び同電極１に行方向ｈに沿って交互に結合配列している複数の透明電極２１、２２から成る電極構成を、「行電極」とも呼ぶ。具体的には、ＰＤＰ１０１は交互に配置されたＮ本の行電極Ｘ１〜ＸＮ及びＮ本の行電極Ｙ１〜ＹＮを有しており（図１参照）、図２では、列方向ｖに沿ってこの順序で並ぶ行電極Ｘ１、Ｙ１、Ｘ２、Ｙ２が図示されている。更に、以下の記載では、各行電極Ｘ１〜ＸＮ及び各行電極Ｙ１〜ＹＮを、それぞれ（行）単に電極Ｘ及び（行）電極Ｙとも呼ぶ。
【００３８】
上記の構成をより一般化して記載すると、次の通りである。先ず、第１方向hに延在し且つ第１方向hと直交する第２方向vに配列する様に上記第１基板上に形成されている複数の電極対の各々は、対向し合う第１電極Ｘ及び第２電極Ｙより成る。そして、第１電極Ｘは、第１方向hに帯状に延在する金属電極より成る第１部分１１と、その第１端は第１部分１１に接合されており、且つ第２端は第２電極Ｙに向かって張り出している第２部分１２（２１，２２）とを有している。この内、第２部分１２の内で少なくとも第２端の周辺部分は透明電極より成る（勿論、図２に示す様に、第２部分１２全体が透明電極より構成されていても良い。あるいは、第２部分１２全体が金属電極で構成されていても良い。）。同様に、第２電極Ｙは、第１方向hに帯状に延在する金属電極より成る第３部分１３と、その第１端は第３部分１３に接合されており、且つ第２端は第１電極Ｘに向かって張り出して第２部分１２の第２端と対向して放電ギャップ３を形成している第４部分１４とを有している。この内、第４部分１４の内で少なくとも第２端の周辺部分は透明電極より成る（勿論、図２に示す様に、第４部分１４全体が透明電極より構成されていても良い。あるいは、第４部分１４全体が金属電極で構成されていても良い。）。更に、各放電セルＤＣ内の、第２部分１２の有効電極面積と第４部分１４の有効電極面積とは互いに異なっており、各放電セルＤＣ内における第２部分１２及び第４部分１４の有効形状は、隣接放電セル毎に第２部分及び第４部分の有効形状を第１方向hの周りに反転させることによって得られる形状に相当している。
【００３９】
又、行電極Ｘ１〜ＸＮ及び行電極Ｙ１〜ＹＮは、その取り出し端子部分を除いて、上記第１基板上に形成された誘電体層（図示せず）で覆われている。勿論、誘電体層は、第１電極Ｘ及び第２電極Ｙの内の少なくとも一方を被覆する様に、上記第１基板上に形成されていても良い。更に、上記の誘電体層は、放電開始電圧を下げるための、あるいは、放電に対する保護膜として使用するための、ＭｇＯ層（カソード膜）で覆われている。本実施の形態では、上記の誘電体層とＭｇＯ層とを総称して「誘電体」と定義する（ＭｇＯ層が無い場合には、「誘電体」とは上記の誘電体層に該当する）。
【００４０】
後述する様に、ＰＤＰ１０１の駆動に際しては、電極Ｙが走査電極として用いられる。電極Ｘは維持放電に主に使用されるものであり、電極Ｙの様に独立した電位を電極Ｘに与える必要がない。そのため、電極端において電極Ｘを共通接続する様にしても良い。
【００４１】
ブラックストライプ６は、一方の表示ラインに属するバス電極１（第３部分１３）と、隣接する他方の表示ラインに属するバス電極１（第１部分１１）との間に位置し且つ行方向ｈに帯状に延在する様に、上記第１基板の表面上又は誘電体層内に形成される。但し、ブラックストライプ６は黒色状の物質であり外光反射率を下げてコントラストを向上させる目的で形成されるものであるが、必ずしも必須のものではないので、ブラックストライプ６を形成しなくてもＰＤＰ１０１の駆動に悪影響は与えない。
【００４２】
他方、背面ガラス基板の表面上又は背面ガラス基板上に形成されたグレーズ層（図示せず）の表面上には、Ｍ本の帯状の列電極ないしはアドレス電極Ｗ１〜ＷＭ（図１参照）が、列方向ｖに沿って、従って複数のバス電極１と（立体）交差しながら延在する様に形成されており、しかも、列電極Ｗ１〜ＷＭの各々は、放電ギャップ３を成す対向し合う両透明電極２１、２２と対面する位置に配置されている。図２では、便宜上、４本の列電極Ｗ１〜Ｗ４が図示されている。以下では、各列電極Ｗ１〜ＷＭを列電極ないしは第３電極Ｗとも呼ぶ。又、グレーズ層が形成されている場合には、背面ガラス基板とグレーズ層とを併せて「第２基板」と総称する。従って、この場合には、「第２基板の表面」とはグレーズ層の表面に該当することになる。
【００４３】
更に、背面ガラス基板の表面上又は上記グレーズ層の表面上には、第２方向vに直線状に延在して各第３電極Ｗを挟み込む様に、しかも、その各々の頂部は上記誘電体の表面に当接する高さを有する様に、ストライプ状の複数の隔壁ないしはバリアリブ（以下、単にリブと称す）５が形成されている。換言すれば、リブ５は、隣り合う列電極Ｗ同士の間に列方向ｖに沿って延在して形成されている。尚、リブ５をこの様にストライプ形状として構成しても良いし、これに代えて、ブラックストライプ６の下付近にも列方向hに沿って延在したリブを追加形成して格子状としても良い（所謂ワッフル型構造）。
【００４４】
ここで、隣り合うリブ５同士及び隣り合うブラックストライプ６同士で規定される空間は、画面上における「サブピクセルないしはセルＣ」となる。特に、サブピクセルＣ内において放電可能な空間、即ち、隣り合うリブ５同士と一つの電極対を成す第１部分１１及び第３部分１３とで規定される空間を、「放電セルＤＣ」と呼ぶ。
【００４５】
更に、各放電セルＤＣ内には、赤色（Ｒ）、緑色（Ｇ）又は青色（Ｂ）の何れかの表示色を発する蛍光体４が列電極Ｗ上及び/又はリブ５の側面上に渡って配置されており（各蛍光体４は、対応する列電極Ｗを被覆する様に（その取り出し端部を除く）、第２基板の表面上及び/又は当該列電極Ｗを挟み込む両リブ５の各々の対向側面上に塗布されている。）、ＰＤＰ１０１では、列方向ｖに並ぶサブピクセルＣは、全て同じ表示色を発する。同一行方向hの全ての放電セルＤＣ、即ち、同じＸ電極とＹ電極とで構成される全ての放電セルＤＣは、赤色（Ｒ）用、緑色（Ｇ）用及び青色（Ｂ）用として順次に配列している。さらに電極配列に着目すれば、第１電極Ｘにおける金属電極１１から−Ｖ方向に透明電極１２が張り出しており、第２電極Ｙにおける金属電極１１からＶ方向に透明電極１２が張り出している。すなわち、金属電極から張り出される透明電極の方向は一定である。これらのことから、ＰＤＰ１０１はトリオ配列型と呼ぶことができる。
【００４６】
次に、図１の駆動制御部１０２を説明する。駆動制御部１０２は、アナログ／デジタル変換器（以下、「Ａ／Ｄ」と称す）１２０、フレームメモリ１３０、制御部１１０、Ｙ電極駆動回路１４１及びＸ電極駆動回路１４２を有する。そして、Ｘ電極Ｘ１〜ＸＮはＸ電極駆動回路１４２に共通に接続されており、Ｙ電極Ｙ１〜ＹＮはそれぞれＹ電極駆動回路１４１の各出力端に接続されており、列電極Ｗ１〜ＷＭはそれぞれＷ電極駆動回路１４３の各出力端に接続されている。
【００４７】
駆動制御部１０２の基本的な動作ないしはＰＤＰ１０１の駆動方法を、以下に説明する。駆動制御部１０２内では、先ず、画像データを与える入力信号ＶＩＮがＡ／Ｄ１２０によってアナログデジタル変換され、Ａ／Ｄ１２０から出力されるデジタルデータはフレームメモリ１３０に蓄えられる。尚、デジタルデータを駆動制御部１０２へ直接入力し、このデジタルデータをフレームメモリ１３０に蓄えても良い。つまり、駆動制御部１０２は、画像データをアナログ信号又はデジタル信号として取得しても構わない。
【００４８】
その後、制御部１１０は、フレームメモリ１３０に蓄えられているデジタルデータを読み出し、それらのデータに基づいて、Ｙ電極駆動回路１４１、Ｘ電極駆動回路１４２及びＷ電極駆動回路１４３をそれぞれ駆動・制御する各種制御信号を生成し、対応する各駆動回路１４１〜１４３へ出力する。そして、上記制御信号を受けて、上記駆動回路１４１〜１４３は、走査パルスないしはスキャンパルス１１（図４参照）や、アドレスパルスないしは書き込みパルス１２（図４参照）やプライミングパルスや維持パルス１３（図４参照）等の各駆動信号ないしは各駆動電圧をＰＤＰ１０１の対応する電極へ印加し、これによりＰＤＰ１０１を駆動する。
【００４９】
図４は、ＰＤＰ１０１の駆動方法を説明するためのタイミングチャートである。ＡＣ型のＰＤＰ１０１は、リセット動作、アドレス動作、表示動作（ないしは維持動作）及び消去動作を含む一連の動作によって駆動される。具体的には、次の通りである。
【００５０】
先ず、リセット期間では、ＰＤＰ１０１における全ての放電セルＤＣ内の電荷状態を初期化する（リセット動作）。
【００５１】
次のアドレス期間では、各サブピクセルＣ内に、画像データを電荷ないしは壁電荷の有無として与える。具体的には、行電極Ｙ１〜ＹＮに順次にスキャンパルス１１を印加し（各電極対間に順次に電位差を与え）、スキャンパルス１１の順次印加に同期して、列電極Ｗ１〜ＷＭへの書き込みパルス１２の印加／不印加を画像データ中の各サブピクセルＣに対応する各データに応じて制御する。例えば、スキャンパルス１１及び書き込みパルス１２は、それぞれ１６０Ｖ及び６５Ｖである。又、アドレス期間中、行電極Ｘ１〜ＸＮには、所定の電圧（０Ｖを含む）を印加する。尚、アドレス期間でのより具体的な駆動方法は後述する。
【００５２】
その後、表示期間において、上記壁電荷を利用して放電（表示放電又は維持放電）を繰り返し発生させ、表示を行う（表示動作）。具体的には、行電極Ｙ１〜ＹＮと行電極Ｘ１〜ＸＮとに交互に（交流的に）維持パルス１３を印加する、このとき、表示期間での放電の繰り返し回数、即ち、維持パルス１３の印加数によって、各サブピクセルＣの輝度が制御される。消去期間では、壁電荷を消去する（消去動作）。
【００５３】
更に、図１の駆動制御部１０２は、ＰＤＰ１０１をサブフィールド階調法（単にサブフィールド法とも呼ばれる）によって駆動する。ここで、図５は、サブフィールド階調法を模式的に説明するための図である。サブフィールド階調法では、リセット動作、アドレス動作、表示動作及び消去動作より成る一つのサブフィールド（ＳＦ）を形成し、複数のサブフィールドＳＦ１〜ＳＦ８を組み合わせて一つのフレーム（又はフィールド）を形成する。このとき、各サブフィールドの表示期間において、表示放電の繰り返し回数を違える（重み付けする）。
【００５４】
放電セルＤＣ内においては、発光強度に分布が生じる。即ち、放電の中心となる放電ギャップ３近傍において輝度が最も高くなり、バス電極１に近づくにつれて輝度は低くなる。ここで、図３は、発光分布を模式的に示した図である。具体的には、図２の電極Ｘ１及び電極Ｙ１で規定される第１番目の行Ｌ１上に、サブピクセルＣ１１、Ｃ１２、Ｃ１３、Ｃ１４、Ｃ１５及びＣ１６が配列されている。同様に、第２番目の行Ｌ２上にサブピクセルＣ２１〜Ｃ２６が、第３番目の行Ｌ３にはサブピクセルＣ３１〜Ｃ３６が配列される。各サブピクセルＣの横断面形状（両方向h、vを含む平面で各サブピクセルＣを切断したときの形状）は同一面積を有するが、各サブピクセルＣの発光中心の位置は、放電ギャップ３近傍である円で描かれた付近となる。サブピクセルＣ１１に対応する発光中心を発光中心Ｈ１１と定義する。同様に、各サブピクセルＣＮＭには、それぞれ発光中心ＨＮＭが対応している。又、各サブピクセルＣの発光中心を発光中心Ｈとして表示する。
【００５５】
図６は、１フレーム分の画像データＤの構成を模式的に描いた図である。ここで、画像データＤは、プログレッシブ信号ないしはノンインタレース信号に対応する。図６では、表示する画像上にマトリクス状に規定された各地点に、各地点の色に関する色データＤ１１、Ｄ１２、Ｄ２１、Ｄ２２、Ｄ３１、Ｄ３２、Ｄ４１、Ｄ４２、Ｄ５１、Ｄ５２、Ｄ６１、Ｄ６２を対応付けて図示している。各色データは、赤色（Ｒ）、緑色（Ｇ）及び青色（Ｂ）に関する各データ（具体的には輝度データ）を含む。例えば、色データＤ１１は、赤色（Ｒ）、緑色（Ｇ）及び青色（Ｂ）に関する各データＲ１１、Ｇ１１及びＢ１１を含む。尚、色データの赤色（Ｒ）、緑色（Ｇ）及び青色（Ｂ）に関する各データの符号は、その色データの符号中の“Ｄ”を“Ｒ”、“Ｇ”、“Ｂ”で置き換えて表記するものとする。
【００５６】
図６のデータ構成を有する画像データＤがインタレース信号として図１のＡＣ型ＰＤＰ装置１００に入力される場合、画像データＤは、奇フィールド分の画像データＤＯと偶フィールド分の画像データＤＥとに分けられる。具体的には、模式的なデータ構成図である図７に示す様に、奇フィールド分の画像データＤＯは、表示する画像上で規定された第１、第３及び第５番目の行ＩＬ１、ＩＬ３及びＩＬ５に対応する色データＤ１１、Ｄ１２、Ｄ３１、Ｄ３２、Ｄ５１、Ｄ５２を含む。他方、図８の模式的なデータ構成図に示す様に、偶フィールド分の画像データＤＥは、画像上における第２、第４及び第６番目の行ＩＬ２、ＩＬ４及びＩＬ６の色データＤ２１、Ｄ２２、Ｄ４１、Ｄ４２、Ｄ６１、Ｄ６２を含む。尚、各行ＩＬ１〜ＩＬ６の色データ群を「行データ」と呼ぶ。例えば、第１番目の行ＩＬ１の行データは、色データＤ１１、Ｄ１２等を含む。
【００５７】
図１のＡＣ型ＰＤＰ装置１００はプログレッシブ信号とインタレース信号との何れをも入力信号ＶＩＮとして受信可能である。換言すれば、同装置１００は、画像データＤ（図６）、ＤＯ（図７）、ＤＥ（図８）の何れをも取得可能である。
【００５８】
以下の記載では、ＰＤＰ１０１のサブピクセルＣ内の発光中心Ｈ（図３）をチェック状に図示した図９をも用いる。この様な図示化によっても、サブピクセルＣの配列の一般性を失うことはない。又、図９ではＰＤＰ１０１の画面の一部（ここでは画面の左上の隅）を図示しており、便宜上、以下の説明では図９に図示した範囲内の発光中心Ｈについて述べる。ここで、デルタ配列型ピクセルの説明で用いた図２３と図９とを比較すると明らかな通り、デルタ配列型ピクセルではピクセル自体で構造を規定するため行数が多いのに対して、本実施の形態で述べる構造では、一つの行内で発光中心をずらしたものを２種類設けているため、行数が少ないと言える。
【００５９】
図１０及び図１１は、ＡＣ型ＰＤＰ１００装置の動作を模式的に説明するための図である。図１の駆動制御部１０２が取得する画像データがインタレース信号に対応している場合、駆動制御部１０２は、図７で示した奇フィールドの画像データＤＯのデータＲ１１、Ｇ１１、Ｂ１１等を、図１０に示す様に、各発光中心Ｈを含むサブピクセルＣに割り当てる。即ち、発光中心Ｈ１１（サブピクセルＣ１１）には色データＤ１１のデータＲ１１を、発光中心Ｈ１３には（サブピクセルＣ１３）には色データＤ１１のデータＢ１１を割り当て、発光中心Ｈ１５（サブピクセルＣ１５）には色データＤ１２のデータＧ１２を割り当てる。又、発光中心Ｈ２１（サブピクセルＣ２１）、発光中心Ｈ１２（サブピクセルＣ１２）、発光中心Ｈ２３（サブピクセルＣ２３）には色データＤ３１のデータＲ３１、Ｇ３１、Ｂ３１をそれぞれ割り当て、発光中心Ｈ１４（サブピクセルＣ１４）、発光中心Ｈ２５（サブピクセルＣ２５）、発光中心Ｈ１６（サブピクセルＣ１６）には色データＤ３２のデータＲ３２、Ｇ３２、Ｂ３２をそれぞれ割り当てる。
【００６０】
これにより、ＰＤＰ１０１上の第１番目の行Ｌ１で画像上の第１番目の行ＩＬ１が表示され、ＰＤＰ１０１上の第１番目及び第２番目の行Ｌ１、Ｌ２で画像上の第３番目の行ＩＬ３が表示され、ＰＤＰ１０１上の第２番目及び第３番目の行Ｌ２、Ｌ３で画像上の第５番目の行ＩＬ５が表示される。
【００６１】
他方、図１の駆動制御部１０２は、図８における偶フィールドの画像データＤＥ中のデータＲ２１、Ｇ２１、Ｂ２１等を、図１１に示す様に、各発光中心Ｈを含む各サブピクセルＣに割り当てる。即ち、発光中心Ｈ１１（サブピクセルＣ１１）、発光中心Ｈ１２（サブピクセルＣ１２）、発光中心Ｈ１３（サブピクセルＣ１３）には色データＤ２１のデータＲ２１、Ｇ２１、Ｂ２１をそれぞれ割り当て、発光中心Ｈ１４（サブピクセルＣ１４）、発光中心Ｈ１５（サブピクセルＣ１５）、発光中心Ｈ１６（サブピクセルＣ１６）には色データＤ２２のデータＲ２２、Ｇ２２、Ｂ２２をそれぞれ割り当てる。又、発光中心Ｈ２１（サブピクセルＣ２１）、発光中心Ｈ２２（サブピクセルＣ２２）、発光中心Ｈ２３（サブピクセルＣ２３）には色データＤ４１のデータＲ４１、Ｇ４１、Ｂ４１を割り当て、同様に、発光中心Ｈ２４（サブピクセルＣ２４）、発光中心Ｈ２５（サブピクセルＣ２５）、発光中心Ｈ２６（サブピクセルＣ２６）には色データＤ４２のデータＲ４２、Ｇ４２、Ｂ４２をそれぞれ割り当てる。
【００６２】
これにより、ＰＤＰ１０１上の第１番目の行Ｌ１で画像上の第２番目の行ＩＬ２が表示され、ＰＤＰ１０１上の第２番目の行Ｌ２で画像上の第４番目の行ＩＬ４が表示される。
【００６３】
ここで、図３に示す隣接する４つのサブピクセルＣ２１、Ｃ２２、Ｃ２３、Ｃ１２を一例にあげて説明する。各サブピクセルにおいては、当該サブピクセルの中心から放電ギャップがずれて位置しているため、それぞれ発光中心の位置が当該サブピクセルの中心位置とは異なっている。そのため、サブピクセルＣ１２が保有する発光中心Ｈ１２と、サブピクセルＣ２１が保有する発光中心Ｈ２１と、サブピクセルＣ２３が保有する発光中心Ｈ２３とが作る立体形状の横断面形状（表示面側から見た平面図形）は三角形を成している。しかも、サブピクセルＣ２１が保有する発光中心Ｈ２１と、サブピクセルＣ２２が保有する発光中心Ｈ２２と、サブピクセルＣ２３が保有する発光中心Ｈ２３とが成す立体形状の横断面形状は、上記３角形とはその共通の底辺の周りに線対象な反対側に位置する三角形を成す。そして、各々の三角形の大きさは略等しくなる様に、セル設計を行うものとする。このとき、図１のＡＣ型ＰＤＰ装置１００の動作に関しては、▲１▼奇フィールドでは、図３及び図１０に示す様に、三つの発光中心Ｈ２１、Ｈ１２、Ｈ２３をそれぞれ保有する三つのサブピクセルＣ２１、Ｃ１２、Ｃ２３から成る第１サブピクセル群で以って一つのピクセルＰを形成し（第１表示形態）、▲２▼偶フィールドでは、図３及び図１１に示す様に、三つの発光中心Ｈ２１、Ｈ２２、Ｈ２３をそれぞれ保有する三つのサブピクセルＣ２１、Ｃ２２、Ｃ２３から成る第２サブピクセル群で以って一つのピクセルＰを形成する（第２表示形態）。つまり、赤色（Ｒ）表示用サブピクセルＣ２１及び青色（Ｂ）表示用サブピクセルＣ２３を含むピクセルＰは、緑色（Ｇ）表示用サブピクセルＣとして、サブピクセルＣ１２及びＣ２２をフィールド毎に交互に切り替える。このとき、第１表示形態におけるピクセルＰの輝度重心と第２表示形態におけるピクセルＰの輝度重心とは等間隔で配列していると言え、そのため、自然な形で解像度を向上させることが出来る。
【００６４】
このような動作（いわゆる擬似インタレース表示）は、既述した通り、デルタ配列型のＰＤＰにおいても実現可能である。本実施の形態で示すトリオ配列型パネル構造であっても、既述したデルタ配列型パネル構造であっても、擬似インタレース動作により、列方向ｖの解像度を向上させることが出来る。但し、図２０に示した従来のトリオ配列型ピクセルでは、擬似インタレース動作を実現することが不可能なことは言うまでもない。この様な従来のトリオ配列型ピクセルにおいて解像度を向上させるためには単純にセル数を倍にするしかなく、高価になる。
【００６５】
更に、本実施の形態で示したトリオ配列型パネル構造で擬似インタレース動作を行うならば、デルタ配列型パネル構造で擬似インタレース動作を行うよりも、直線性を良くすることが可能である。デルタ配列型のＰＤＰにおいてはセル構造自体が発光領域を決めているため、発光領域と非発光領域がまだらに（交互に）存在することになる。このため、デルタ配列型では直線性を得にくい。但し、ここで言う「発光領域」とは主に放電セルが存在する場所であり、「非発光領域」とは、バリアリブや、ブラックストライプや、放電ギャップの存在しない空間等の、主に放電不可能な場所あるいは放電しても光が遮蔽されて発光が見えない領域を言う。
【００６６】
即ち、デルタ配列型ＰＤＰでは、▲１▼発光領域が直線状にない、▲２▼発光領域を埋める様に非発光領域を形成するため、非発光領域も直線状にない、と言った二つの理由から、直線性が得られない。
【００６７】
これに対して、本実施の形態に係る構造を有するトリオ配列型ＰＤＰでは、発光領域と非発光領域とは格子状となる。即ち、非発光領域であるリブ及びブラックストライプを直線状に形成することが出来るし、発光中心がデルタ配列型に近いとはいえ、発光領域全体がトリオ配列型として発光するため、直線性を改善することが出来る。換言すれば、デルタ配列型ピクセルをチェック状に表現する場合（図２３）、非発光領域となる陰影部が完全に発光しないのに対して、本実施の形態では、図９に示す陰影部もまた発光領域であるため（いわば画面全体が発光しているため）、直線性が改善されるのである。
【００６８】
（実施の形態２）
本実施の形態では、実施の形態１に係るＰＤＰ１０１のセル構造を改良したものに相当する、別のセル構造について説明する。それ以外の、ＡＣ型ＰＤＰ装置の構成及び駆動方法は、全て実施の形態１で述べたものに等しい。
【００６９】
実施の形態１では、発光中心が放電ギャップ付近にあることを利用して擬似インタレース動作を行うことで解像度を向上させ得ることを提案した。又、実際には放電ギャップ近傍だけで発光するわけではなく、放電セル全体が発光し、このため直線性が改善されることも、実施の形態１で記載した。このこと自体は、透明電極全体が放電の生成及び生じた光の取り出しに寄与するため、電極面積が大きい方が発光量の増大につながると言うことであり、厳密には発光中心の位置が放電ギャップの位置のみでは決まらないことを意味する。つまり、発光中心の位置は、放電ギャップの位置から電極面積が大きい方の透明電極寄りにずれることになる。
【００７０】
そこで、本実施の形態では、より厳密に放電ギャップが発光中心の位置となる様にするため、実施の形態１と同様に隣接セル毎に放電ギャップの位置を放電セルの中心から等距離だけ反対側へ交互にずらすと共に、第１電極における第２部分の透明電極部分の電極面積と対向する第２電極における第４部分の透明電極部分の電極面積とを略等しく設定すると言う構成を採用している。
【００７１】
図１２は、本実施の形態に係るＰＤＰ１０１Ａ（図２のＰＤＰ１０１の改良形）の一部を表示面側から眺めた際の構造を模式的に示す平面図である。ＰＤＰ１０１Ａは、ＰＤＰ１０１と同様に、前面ガラス基板上に形成された、２×Ｎ（Ｎは自然数）本の帯状の金属電極（バス電極）１及び各金属電極１に交互に結合されている透明電極２１、２２を有する。透明電極２１、２２は、それが結合している金属電極１から他方の金属電極１に向けて列方向ｖに張り出しており、一つの放電セルＤＣ内においては、両透明電極２１、２２は、放電ギャップ３を挟んで互いに向かい合っている。
【００７２】
本実施の形態における構造上の特徴点は次の点にある。即ち、一方の透明電極２１は、▲１▼対向する透明電極２２と略等しい電極面積を有しており且つ主として放電を行うための透明電極２１（ａ）（第２端周辺部分に該当）と、▲２▼透明電極２１（ａ）と対応する金属電極１とを互いに接続するための電極２１（ｂ）（接続用電極部に該当）とから構成されている。ここで、電極２１（ｂ）は金属電極であっても良いし、透明電極であっても良い。勿論、電極２１（ｂ）が透明電極であれば、光の取り出し効率が高くなるため、金属電極で構成するよりも発光効率は高くなる。又、光の取出し効率は低下せざるを得ないが、第２端周辺部分である電極２１（ａ）を金属電極で構成することも可能である。他方の透明電極２２は、上記の接続用電極部を一切介在させることなく直接的に対応する金属電極１と接続された透明電極部（第２端周辺部分）のみより成る。勿論、第２端周辺部分を成す電極２２を金属電極で代用することは可能である。この様な構造を実施の形態１で上述した定義を用いて表現するならば、ある任意の放電セルＤＣにおいては、第２部分１２は接続用電極部２１（ｂ）と第２端周辺部分２１（ａ）とから成り、対向する第４部分１４は第２端周辺部分２１（ａ）と電極面積が略等しい透明電極部２２（第２端周辺部分とも称する）のみより成る。そして、透明電極部２２と第２端周辺部分２１（ａ）との間に形成される放電ギャップ３の中心は、当該放電セルＤＣの中心位置から第４部分１４側へ所定の距離だけずれている。これに対して、その隣の放電セルＤＣにおいては、逆に、第２部分１２は透明電極部２２（第２端周辺部分とも称する）のみより成り、対向する第４部分１４は接続用電極部２１（ｂ）と第２端周辺部分２１（ａ）とから成り、透明電極部２２と第２端周辺部分２１（ａ）との間に形成される放電ギャップ３の中心は、当該隣の放電セルＤＣの中心位置から第１部分１１側へ上記の所定の距離だけずれている。この様な構造が、行方向hに沿って交互に形成されている。
【００７３】
上記の通り、透明電極２１及び透明電極２２は行方向ｈに対して交互に繰り返される。これにより、放電ギャップ３の位置も交互に形成されていく。この場合の発光中心も図３の様に模式化して表示することができ、実施の形態１と同様の駆動方法により擬似インタレースを行うことが出来る。即ち、本実施の形態でも図１０及び図１１を用いて説明することが可能であり、奇フィールドでは、図１０に示す様に、三つの発光中心Ｈ２１、Ｈ１２、Ｈ２３を保有するサブピクセルＣ２１、Ｃ１２、Ｃ２３から成る第１サブピクセル群で第１表示形態を形成し、偶フィールドでは、図１１に示す様に、発光中心Ｈ２１、Ｈ２２、Ｈ２３を保有するサブピクセルＣ２１、Ｃ２２、Ｃ２３から成る第２サブピクセル群で第２表示形態を形成し、フィールド毎に表示形態を交互に切り替えることで、解像度向上を図ることが出来る。このとき、デルタ配列型に比べて直線性が得やすい点は、実施の形態１で述べた通りである。
【００７４】
更に、本実施の形態に係るＰＤＰ１０１Ａのパネルを用いることにより、発光中心の位置を実施の形態１の場合と比較してより一層放電ギャップ３近傍に特定することが出来るため、擬似インタレース動作をより一層容易に行うことが出来ると言う特有の利点が得られる。
【００７５】
（変形例１）
図１２に示す透明電極２２を、透明電極２１と同様な形状の電極に置き換えても良い。即ち、透明電極２２を、▲１▼透明電極２１の第２端周辺部分２１（a）と同じ電極面積を有する透明電極部（第２端周辺部分）と、▲２▼当該透明電極部と対応する金属電極１とを接続するための接続用電極部とから成る構造の電極として構成しても（後述の図１８の電極部２２（a）、２２（b）を参照）、実施の形態２と同様の作用・効果が得られる。つまり、透明電極２２は、「透明電極又は金属電極より成る第２端周辺部分」を少なくとも含む構造を有していれば良いのである。
【００７６】
（変形例２）
実施の形態２では、放電領域を放電ギャップ近傍に特定すべく、透明電極２１を２つの透明電極部２１（ａ）及び２１（ｂ）に分割して構成する例を示したが、別の方法によっても実現可能である。例えば、実施の形態１で示した図２の構造において、放電抑止体７を、電極面積が大きい方の透明電極２１の第１端側（金属電極１との接合部分付近）に設けても良い。放電抑止体７の形成方法としては、例えば、前面ガラス基板側に放電抑止体７を設けるのであれば、誘電体の厚みを部分的に変える、あるいは、放電開始電圧を下げるためのＭｇＯ層を部分的に取り除く等の方法で対処可能である。又、背面ガラス基板側に放電抑止体７を設けるのであれば、リブ状のものを部分的に形成する、あるいは、蛍光体の厚みを部分的に極めて厚くして放電しにくくさせる等でも良い。ここでは、放電開始電圧を放電ギャップ近傍におけるそれと異ならせるためのものを、「放電抑止体」と呼ぶ。但し、放電抑止体により完全に光が遮蔽されてしまうとデルタ配列型ピクセルと同様に直線性が得にくくなるため、放電抑止体の材質としては、光を透過させるのものが望ましいと言えるが、必ずしもこの限りではない。ブラックドットと呼ばれるブラックストライプに類するものを前面ガラス基板上に形成し、これを放電抑止体として用いても良い。この様な放電抑止体を設けることにより、実施の形態２と同じ効果を得ることが出来る。
【００７７】
（実施の形態３）
実施の形態１及び実施の形態２においては、ある放電セルにおける放電ギャップの位置を当該放電セルの中心位置から所定の距離だけずらすと共に、隣接放電セル毎に放電ギャップを等距離だけ反対側へ順次にずらしていくことで発光中心を制御し、トリオ配列であっても擬似インタレース動作可能なセル構造を実現していた。これに対して、本実施の形態では、各放電セル内の放電ギャップを当該放電セルの中心位置に設定した上で、ある放電セル内における第２部分の有効電極面積及び第４部分の有効電極面積との間に積極的に差をもたせた上で、隣接放電セル毎に、第２部分の有効電極面積と第４部分の有効電極面積との関係を順次に反転させることで、実施の形態１及び実施の形態２と同様に発光中心を変えることとしている。
【００７８】
図１３は、本実施の形態３に係るＰＤＰ１０１Ｂの一部を表示面側から眺めた際の構造を模式的に示す平面図である。同図においては、ＰＤＰ１０１Ｂの構成要素の内でＰＤＰ１０１の構成要素と同様の機能をもつものには、同一の符号が付されている。
【００７９】
ＰＤＰ１０１Ｂは、ＰＤＰ１０１と同様に、前面ガラス基板上に形成された、２×Ｎ（Ｎは自然数）本の帯状の金属電極（バス電極）１、及び、各金属電極１に交互に結合された複数の透明電極２１、２２を有する。透明電極２１、２２は、共に金属電極１から列方向ｖに所定の距離だけ張り出して形成されていると共に、放電セルの中心に位置する放電ギャップ３を挟んで向かい合う様に形成されている。そして、（透明電極２１の有効電極面積）＞（透明電極２２の有効電極面積）の関係が、各放電セルＤＣにおいて成立する。
【００８０】
本実施の形態では、透明電極２１、２２の横断面形状はおよそ台形形状として設定されている。勿論、この形状は三角形でも良く（この場合には、各三角形の底辺が対向し合い、各三角形の頂点またはその近傍部分が対応する金属電極１と接合することになる）、要は、放電セル内の有効電極面積が異なるもの同士であれば良い。横断面形状が互いに面積の異なる長方形となるもの同士を組み合わせても良いが、放電ギャップ３を形成する対向し合う辺の長さを揃えた方が均一に放電し易いと考えられる。言い換えれば、放電ギャップ３を形成する辺の長さをおよそ揃えた構成であれば、放電ギャップ３を形成する辺の長さ以上の幅を有する電極部を持つ透明電極と、その辺の長さ以下の幅を有する電極部を持つ透明電極とで、各放電セル内の対向する一対の透明電極を構成する電極構造であれば良い。この形状の異なる（従って、有効電極面積の異なる）透明電極２１、２２の組は、行方向ｈに沿って、行方向ｈの周りに交互に反転されながら繰り返される。このとき、各放電ギャップ３の位置は、行方向ｈ及び列方向vに対して、およそ一定である。
【００８１】
ＰＤＰ１０１Ｂでは、各放電ギャップ３の位置は一定であるが、放電ギャップ３を形成する両透明電極２１、２２の有効電極面積が互いに異なるため、各セルＣの発光中心が隣接セルＣ毎に放電セルの中心位置から反対側にずれていくことになり、本実施の形態においても、図３に示す様な模式化を図ることが出来る。従って、実施の形態１及び２と同様に、トリオ配列型構造において擬似インタレースを行うことが出来る。
【００８２】
これにより、実施の形態１及び２と同様に、デルタ配列型ピクセルよりも直線性が得やすく、且つ、デルタ配列型と同等の高解像度を得ることが出来る。
【００８３】
更に、各放電ギャップ３の位置が放電セルＤＣの中心位置に常に設定されているため、放電自体の主体は、放電ギャップ３の近傍、即ち、放電セルＤＣの中央位置において発生させることが出来る。この点は、次の様な特有の効果をもたらす。もし放電ギャップを放電セルの端側に寄せた場合、格子リブであれば、放電で発生する電荷や放電生成物は壁に衝突し易くなる。仮にストライプリブを用いることで障壁が存在しなくても、放電セル端側のギャップ近傍においては、中央部と比較して、放電で生ずる紫外線で励起され得る蛍光体の面積が少なくなるため、蛍光体を励起する紫外線密度が高くなる。これにより、蛍光体が飽和し易くなり、発光効率は不利に働く。従って、図１３の様に放電セルＤＣの中央に放電ギャップ３を形成した方がセル全体の蛍光体を利用することができ（紫外線密度が低くなり）、発光効率は高くなる。
【００８４】
（実施の形態４）
本実施の形態では、各隔壁の内で各放電セルを規定する部分は、第２方向（列方向）に対して所定の角度で傾斜しつつ直線状に延在した部分を有しており、隣り合う両隔壁の各々の当該放電セルを規定する部分同士は、第２方向に関して線対称の関係にある。この特徴点により、本実施の形態においても、任意の放電セル内の、第２部分の有効電極面積と第４部分の有効電極面積とは互いに異なっており、しかも、各放電セル内における第２部分及び第４部分の有効形状は、隣接放電セル毎に、第２及び第４部分の有効形状を第１方向の周りに反転させることによって得られる形状に相当している。以下、図面に基づき、本実施の形態を記載する。
【００８５】
図１４は、本実施の形態に係るＡＣ型ＰＤＰ１０１Ｃの一部を表示面側から眺めた際の構造を模式的に示した平面図である。実施の形態３では、透明電極の横断面形状が例えば台形又は三角形となる様に各透明電極の形状を設定しているが、リブをストライプ状に形成しているため、対向し合う両透明電極の有効電極面積比には限りがある。そこで、行方向ｈの直線性を確保しながらも列方向ｖの直線性を弱めて、対向し合う両透明電極の有効電極面積比をより大きく設定可能としたのが、本実施の形態である。
【００８６】
図１４に示す様に、各金属電極１には横断面形状が台形形状の透明電極２１、２２が第１方向hに沿って交互に接合されており、放電セルＤＣの中央付近に放電ギャップ３が形成される点は実施の形態３と同様である。しかし、本実施の形態では、セルＣの横断面形状は、長方形状ではなくて、略台形状に、より厳密にはクリスマスツリー状もしくは傘状の形状となる。これは、リブ５の形状に起因している。即ち、リブ５はセルＣを囲う様に形成されており、第２方向ｖに対して平行な直線形状ではなくて、折れ線形状で形成されている。より詳細には、隣り合うリブ５の内で各放電セルＤＣを規定する部分５１、５２は、共に第２方向ｖに対して所定の角度を成す様に傾斜した直線形状の部分を有しており（その傾斜方向は互いに逆の関係にある）、しかも、両部分５１、５２は互いに第２方向ｖに関して線対称の関係にある。既述した図２１及び図２２で示すデルタ配列型ピクセルにおいてはリブが蛇行しているが、セル配列をトリオ配列とする本発明の構成上（非発光領域を直線形状とする本発明の目的上）、リブ形状は蛇行ではなくて図１４で示す様な稲妻形状となる。
【００８７】
本実施の形態で示す様なリブ構成を採用することで、実施の形態３の場合以上に、対向し合う両透明電極２１、２２の有効電極面積の間に差をもたせること（発光中心を放電セルの中心から金属電極１側へより一層ずらすこと）が出来る。このとき、発光中心の分布図は、実施の形態１〜３と同様に、図３として表すことが出来る。従って、本実施の形態によれば、より一層容易に擬似インタレースを行うことが可能である。非発光領域となるリブ５は、最早、列方向ｖに平行な直線形状を有していないため、列方向ｖの直線性は弱まるが、行方向ｈの非発光領域であるブラックストライプ６は行方向hに平行な直線形状を保っているため、横方向の直線性は保たれている。即ち、本実施の形態においてもなお、デルタ配列型ピクセルに比べて、直線性は優位にある。
【００８８】
尚、実施の形態３（図１３）及び実施の形態４（図１４）では、透明電極２１、２２の横断面形状を台形もしくは三角形の様な単純形状としているが、複数の四角形を組み合わせる様な形状を用いても良いことは既に述べた通りである。又、透明電極２１、２２は、必ずしも直線状に形成される形状を有していなくても良い。透明電極２１、２２の横断面形状を台形状ないしは三角形状に設定することの意味するところは、透明電極２１、２２における放電ギャップ３を形成する辺を考えたときに、その辺の長さ以上の幅を有する透明電極と、その辺の長さ以下の幅を有する透明電極との組み合わせを考えている点にある。例えば、図１５（Ａ）に示す様に、一方の透明電極は放電ギャップを形成する辺よりも幅が狭い四角形を含む形状を有するものとし、他方の透明電極は放電ギャップを形成する辺と同じ幅を有する一つの四角形状を成すものとしても良い。あるいは、図１５（Ｂ）に示す様に、一方の透明電極は、放電ギャップから金属電極に近づくにつれて放電ギャップを形成する辺よりも幅が狭くなる様に円弧を描いて形成されるものとしても良く、他方の透明電極は、放電ギャップを形成する辺よりも幅が広くなる台形を組み合わせて形成されるものとしても良い。勿論、これらの全ては如何なる様に組み合わせても良い。１組の電極面積が異なる全ての形状において（発光中心が電極形状により放電セルの中心よりずれる全ての形状において）行方向ｈに対して交互に繰り返すパターンを形成すれば、トリオ配列型構造のＰＤＰにおいても擬似インタレース動作を行うことができ、高解像度を得ることができる。
【００８９】
（変形例）
実施の形態４（図１４）では、対向し合う両透明電極２１、２２の有効電極面積差をリブ５の形状（セル構造）で以って規定している。と言うことは、図１４に示す様なリブ５の形状（セル構造）を採用する限り、最早、対向する両透明電極の形状を互いに異ならしめる（変形する）必要性は無いと言える。即ち、先行技術例である図２１に示す様に、透明電極２１、２２を同一面積で行方向ｈに延在させても良い。この様な変形例を図１６の平面図に例示する。この変形例を採用する場合には、電極とリブとの位置合わせ（前面ガラス基板と背面ガラス基板との位置合わせ）を容易に行うことが出来ると言う利点がある。
【００９０】
（実施の形態５）
図１７は、本実施の形態に係るＰＤＰ１０１Ｄの一部を表示面側から眺めた際の構造を模式的に示す平面図である。これまで、トリオ配列型ピクセルで擬似インタレース動作を行うためのセル構造として、▲１▼放電ギャップをずらす、▲２▼放電ギャップをずらすことなく透明電極の有効電極面積に差をもたせて発光中心をずらす、の２点に関して説明してきた。勿論この２つを組み合わせても良く、本実施の形態では、実施の形態１あるいは２で示した放電ギャップをずらすと言う構成を採用し、且つ、実施の形態３で示した電極面積に積極的に差をもたせると言う構成をも採用している点に特徴がある。以下、図１７に基づいて、その特徴点を説明する。
【００９１】
図１７に示す様に、各金属電極１には透明電極２１、２２が交互に結合しており、透明電極２１、２２は金属電極１から列方向ｖに張り出して形成されている。一方の透明電極２１は、主に放電させるための透明電極２１（ａ）と、透明電極２１（ａ）と金属電極１とを互いに接続するための電極２１（ｂ）とに分かれている。この接続用電極部２１（ｂ）には、必ずしも透明電極を用いなくても良い。他方の透明電極２２は、有効電極面積が透明電極２１（ａ）のそれよりも大きくなる様に形成されており、例えば台形状の横断面形状を有している。透明電極２１と透明電極２２とは、一つのサブピクセルＣ内において、放電ギャップ３を挟んで向かい合う様に配置されている。このとき、有効電極面積の大きい透明電極２２が結合された金属電極１寄りに、放電ギャップ３を形成する。即ち、放電ギャップ３から金属電極１までの距離は、透明電極２２を介した方が、透明電極２１を介するよりも短い。更に、透明電極２１と透明電極２２とは行方向ｈに対して交互に繰り返して配列されており、これにより、放電ギャップ３の位置も行方向ｈに対して交互に繰り返してずれる様になっている。
【００９２】
又、本実施の形態では、図１７に示す様に、ブラックストライプ６の形状を実施の形態１〜４のそれとは異ならせている。具体的には、サブピクセルＣの内で、発光中心から離れた（放電ギャップから離れた）領域部分６１にまで、ブラックストライプ６をはみ出して形成している。この様に発光領域内においてあまり発光に関わらない領域にブラックストライプ６の枝部分６１を設けることにより、発光効率を低下させずに更なるコントラスト向上を図ることが出来る。勿論、この様なコントラスト向上のための追加部分は従来のブラックストライプに枝をつけた様な本構成でなくても良く、ブラックストライプとブラックドットとを組み合わせた構成（図１７における行方向hのブラックストライプ６とその枝部分６１とを切り分けた構成）としても良いし、ブラックドット単体でも良い。又、背面基板上に形成されるリブ材料で以って上記の枝部分６１を代用することにしても良い。コントラスト向上と横方向の直線性との兼ね合いによりブラックドットあるいは本実施の形態に係る枝部分６１の大きさが決定されるが、少なくとも黒色物質をブラックストライプ６付近に寄せた本構成とすることにより、横方向の直線性を得ることが出来る。勿論、本構成（枝部分６１を設ける点）を実施の形態１〜４のブラックストライプ６に適用しても良い。
【００９３】
本実施の形態においても、発光中心の分布図は、実施の形態１と同様に、図３に示す模式図と等しくなる。これにより、擬似インタレース動作が可能となり、高解像度を得ることができる。特に、本実施の形態の様に放電ギャップの位置と電極面積の両方を制御すれば、発光中心をより一層コントロールし易くなるため、より一層容易に擬似インタレース動作を行うことが出来る。
【００９４】
（実施の形態６）
実施の形態１〜５で記載した各アイデアを、同じくトリオ配列型ピクセルを有する、所謂アリス構造のＰＤＰにも適用可能であり、同様に、直線性を確保しながら擬似インタレース動作を容易に行うことが出来る。
【００９５】
ここで、図１８は、実施の形態２で説明した「隣接放電セル毎に放電ギャップを交互に反対側にずらして発光中心をずらす」と言う技術的思想をアリス構造のＰＤＰに適用した場合における、アリス構造ＰＤＰの一部を拡大して模式的に示した平面図である。即ち、図１８の構造は、例えば特開平９−１６０５２５号公報に開示された構造及び駆動方法に、実施の形態２の特徴である発光中心制御を適用した一例である。但し、図１８の例では、説明の便宜上、図１の表示とは逆に、Ｙ電極が共通電極に設定されている。加えて、透明電極２２は、対向する透明電極２１と同様に、その第２端周辺部２１（a）と同じ電極面積を有する透明電極部２２（a）（第２端周辺部分とも称する）と、透明電極部２２（a）と電極Ｙ１の金属電極１３とを互いに接続するための接続用電極部２２（b）とから成る（実施の形態２における変形例１の適用に相当）。尚、第２端周辺部分２１（ａ）、２２（ａ）及び／又は接続用電極部２１（ｂ）、２２（ｂ）は、透明電極に代えて、金属電極で代用されても良い。
【００９６】
この様な構造及び擬似インタレース動作となる様な画像データの取り込みを、例えば特開平９−１６０５２５号公報に開示される駆動方法を基にして実現することで、特開平９−１６０５２５号公報に記載される高解像度を上回る高解像度化を図ることが出来る。既述した通り、特開平９−１６０５２５号公報に開示された技術は、本明細書記載の全ての構造と組み合わせることが出来る。
【００９７】
尚、アリス構造ＰＤＰにおける複数の電極対の第２方向vへの配列の態様を、実施の形態１〜５において記載した複数の電極対の第２方向vへの配列の変形として認識するならば、そのときの変形の仕方は次の通りとなる。即ち、ある表示ラインに属する第１方向hに沿って一列に並んだ全ての放電セルＤＣ１と当該表示ラインに隣接する表示ラインに属する全ての放電セルＤＣ２とに関して、その一方の表示ラインに属する第２電極とその他方の表示ラインに属する第１電極とは一体化されて両表示ラインの共通電極Ｙ１（図１８）を成しており、共通電極Ｙ１と当該共通電極Ｙ１と対向する第１及び第２電極Ｘ１、Ｘ２（図１８）とから成る一組の電極群が、所定の間隔で第２方向vに沿って配列している。この場合、誘電体は、共通電極Ｙ１又は当該共通電極Ｙ１と対向する第１及び第２電極Ｘ１、Ｘ２の内の少なくとも一方を被覆していれば良い。
【００９８】
（付記）
本発明で「複数の電極対が第２方向に配列している」と言うときには、その配列の態様には、実施の形態１〜５で述べた配列態様と、実施の形態６のアリス型における配列態様とが、含まれている。
【００９９】
尚、本発明のすべての実施の形態において、行電極Ｘ，行電極Ｙは金属電極と透明電極とを組み合わせて形成しているが、必ずしもこの限りでない。透明電極に相当するところを金属電極で代用しても本発明の効果が失われないということは言うまでもない。
【０１０２】
請求項１に係る発明によれば、放電セルの中心位置で放電を行わせることが出来るので、放電セル全体の蛍光体を利用することが可能となり、発光効率を高めることが出来ると言う効果を奏する。
【０１０３】
請求項２に係る発明によれば、各放電セル内における第１電極の第２部分と第２電極の第４部分との有効電極面積比をより一層大きく変えることが出来るので、擬似インタレース動作をより容易に行うことが出来ると言う効果を奏する。
【図面の簡単な説明】
【図１】  本発明に係るＡＣ型ＰＤＰ装置の模式的なブロック図である。
【図２】  実施の形態１に係るＡＣ型ＰＤＰ装置が備えるプラズマディスプレイパネルを説明するための模式図である。
【図３】  実施の形態１に係るＡＣ型ＰＤＰ装置が備えるプラズマディスプレイパネルを説明するための模式図である。
【図４】  本発明に係るＡＣ型ＰＤＰ装置における、プラズマディスプレイパネルの駆動方法を説明するためのタイミングチャートである。
【図５】  サブフィールド階調法を説明するための模式図である。
【図６】  １フレーム分の画像データの構成を説明するための模式図である。
【図７】  インタレース信号における奇フィールド分の画像データの構成を説明するための模式図である。
【図８】  インタレース信号における偶フィールド分の画像データの構成を説明するための模式図である。
【図９】  この発明に係るＡＣ型ＰＤＰ装置の表示部の構成を説明するための模式図である。
【図１０】  この発明に係るＡＣ型ＰＤＰ装置の動作を説明するための模式図である。
【図１１】  この発明に係るＡＣ型ＰＤＰ装置の動作を説明するための模式図である。
【図１２】  実施の形態２に係るＡＣ型ＰＤＰ装置が備えるプラズマディスプレイパネルを説明するための模式図である。
【図１３】  実施の形態３に係るＡＣ型ＰＤＰ装置が備えるプラズマディスプレイパネルを説明するための模式図である。
【図１４】  実施の形態４に係るＡＣ型ＰＤＰ装置が備えるプラズマディスプレイパネルを説明するための模式図である。
【図１５】  実施の形態３、４に係るＡＣ型ＰＤＰ装置が備えるプラズマディスプレイパネルのうち別の電極形状を説明するための模式図である。
【図１６】  実施の形態４の変形例に係るＡＣ型プラズマディスプレイパネルの構造を説明するための模式図である。
【図１７】  実施の形態５に係るＡＣ型ＰＤＰ装置が備えるプラズマディスプレイパネルを説明するための模式図である。
【図１８】  実施の形態６に係るＡＣ型ＰＤＰ装置が備えるアリス型プラズマディスプレイパネルを説明するための模式図である。
【図１９】  トリオ配列型ピクセルを説明するための模式図である。
【図２０】  トリオ配列型ピクセルを有するプラズマディスプレイパネルを説明するための模式図である。
【図２１】  デルタ配列型ピクセルを有するプラズマディスプレイパネルを説明するための模式図である。
【図２２】  デルタ配列型ピクセルを有するプラズマディスプレイパネルを説明するための模式図である。
【図２３】  デルタ配列型ピクセルの構成を説明するための模式図である。
【符号の説明】
１  金属電極、１１  第１部分、１２  第２部分、１３  第３部分、１４  第４部分、２１，２２  透明電極、３  放電ギャップ、４  蛍光体、５  リブ、Ｃセル、ＤＣ  放電セル、h  第１方向、v  第２方向。
【図１】
0003640915.tif 000002
【図２】
0003640915.tif 000003
【図３】
0003640915.tif 000004
【図４】
0003640915.tif 000005
【図５】
0003640915.tif 000006
【図６】
0003640915.tif 000007
【図７】
0003640915.tif 000008
【図８】
0003640915.tif 000009
【図９】
0003640915.tif 000010
【図１０】
0003640915.tif 000011
【図１１】
0003640915.tif 000012
【図１２】
0003640915.tif 000013
【図１３】
0003640915.tif 000014
【図１４】
0003640915.tif 000015
【図１５】
0003640915.tif 000016
【図１６】
0003640915.tif 000017
【図１７】
0003640915.tif 000018
【図１８】
0003640915.tif 000019
【図１９】
0003640915.tif 000020
【図２０】
0003640915.tif 000021
【図２１】
0003640915.tif 000022
【図２２】
0003640915.tif 000023
【図２３】
0003640915.tif 000024